(57)【要約】【課題】  枕に折畳部を設け、数種の袋部を附帯し、数種の異なる中身を袋部に挿入し、袋部の端に係止部を設け、一体化し使用する枕を提供する。【解決の手段】  枕にニ以上の袋部を設け、各袋部間に折畳部と開閉部を設け、各種の中身を自在に袋部に挿入でき、任意に折畳部の使用面を選択でき、また独立した収納用中袋を併用することることを特徴とする枕。【選択図】  図１
2006239332.tif 000002
【特許請求の範囲】
【請求項１】
ニ以上の袋部を設け、各袋部間に折畳部を設け、各袋部には各種の中身を自在に袋部に挿入できる様開閉部を設け、任意の折畳部を折畳むことにより、使用面を選択できることを特徴とする枕。
【請求項２】
袋部に、中身を収納するための内袋を設けたことを特徴とする請求項１記載の枕。
【請求項３】
独立した収納用中袋を併用することを特徴とする請求項１、あるいは請求項２記載の枕。
【請求項４】
収納用中袋の中央付近に、押え部を設けたことを特徴とする請求項３記載の枕。
【発明の詳細な説明】
【技術分野】
【０００１】  本発明は、枕に折畳部を設けて、数個の袋部を附帯し、数種の異なる中身を袋部に挿入し、袋部の端に係止部を設け、一体化し使用する枕に関する物である。
【背景の技術】
【０００２】  従来、枕の中身はそば殻、ひのき、竹、ポリエチレン、羽、ウレタン、ポリプロピレン等、それぞれ一種類の中身であった。枕の硬さや軟らかさ、高さの調整はでき上がっている高さで、すぐに高低の調整は難しかった。芳香剤、消臭剤、保冷剤、アイスノン等使用する際は、一緒の使用が困難だった。又、枕は膨らみがあり平らな場所でないと干すことが難しかった。
【発明の開示】
【発明が解決しようとする課題】
【０００３】  そのために、次のような問題点があった。
枕の軟らかさや、硬さは枕を選ぶ時に大切な要素だが、一種類の中身の素材のみであるので簡単には変えられなかった。又、枕の高さ調整は、枕の中身である檜、そば殻、ポリエステル、竹、羽根、パイル、ウレタンフォーム、ペット、備長炭等中身の量を加えたり、出したりして、高さ調整をするが、枕を低くするには閉じてある縫目を取り、中身を取り出し又閉じなければならない。又反対に枕を高くするには、縫目を取り中身を加えるが、中身に使用されている物を別に買わなければならない。中身によっては別売りがないので、加えることが出来ない物もある為、高さ調整は困難であった。
又、熱をだしたり、暑い夏などにアイスノン、保冷剤など使用する際、使用している枕の上にアイスノン、保冷剤をのせて使用すると高すぎるし、逆に枕を外しアイスノン、保冷剤等を枕変りに使用するのでは薄いので低すぎて不快であった。
現代ストレスの多い社会において、快眠は非常に大切だが、枕に快眠をさそう芳香剤、消臭剤等の機能は持っていなかった。
枕を干すときは、厚みや重みがあるにもかかわらず干すための引っ掛かり等もなく落ちてしまうので、物干し竿やベランダの柵などには簡単に干すことが難しく、平面がある場所か、あるいは枕専用の洗濯止や枕干し専用ネットなどを使用しないと簡単に干す事が出来なかった。
本発明は以上の問題点を解決しようとするものである。
【課題を解決するための手段】
【０００４】  枕に二以上の袋部を設け、各袋部間に折畳部を設け、各々袋部には開閉部を設け、中身の異なる素材を自在に袋部に挿入し、任意に折畳部を折畳、それぞれの素材の軟らか面、硬い面を選択できる。さらに独立した収納用中袋に芳香剤、消臭剤、アイスノン、保冷剤を収納し併用することで、枕の機能を高めたことを特徴とする。
【発明の効果】
【０００５】  本発明は、枕の袋部に直接あるいは中袋に素材を詰め、素材の軟らかいポリエステル、わた、羽、ウレタンフォーム、低反発素材や、硬い物でパイプ、竹、そばがら、ペット、ポリエステル等、好みの素材を自在に組み合わせ各自に合った寝やすい硬さの枕ができる。
又、アイスノン、保冷剤、芳香剤などを数種の好みの物を独立した収納用中袋に挿入し、枕本体に挟み込む事により、出し入れも簡単で、熱が高いときや、暑い夏なども容易に使用でき為、安眠効果が得られる。
高さの調整も薄い中袋や、厚めの収納用中袋を使用することで簡単にできるが、収納用中袋の間に、タオルや芳香剤等を挟み込むことでも直ぐに各自にあった好みの枕ができる。
又、枕の各袋部間に折り畳み部分がある為、折畳部分を物干しざおやベランダの柵などに引っ掛けると容易に他の洗濯物と一緒に干す事ができ、中身を出すことで洗濯も簡単に出来るので衛生的である。
【発明を実施するための最良の形態】
【０００６】以下、本発明の実施の形態を説明する。
（イ）図１で示すように、枕（１）は袋部Ａ，Ｂ，Ｃ（３）の間に折畳部Ａ、Ｂ（２）を設け、袋部Ａ、Ｂ，Ｃ（３）に、横開閉部Ａ，Ｂ（４）縦開閉部（５）を設ける。
（ロ）図２で示すように、袋部Ａ，Ｂ，Ｃに、面ファスナー等で係止部Ａ，Ｂ，Ｃ（６）を数ヵ所附帯する。あるいは折畳部にファスナー等を設ける。
（ハ）枕の中身素材を入れる内袋（７）、あるいは、押え部収納用中袋（１３）又は独立した収納用中袋（９）等を設ける。
（ニ）図４で示すように、枕本体に挟み込んで使用できる独立した収納用中袋（９）は、ポッケトＡ（１０）、ポケットＢ（１１）を設ける。保持部（１２）は、面ファスナー、スナップ等で中身の素材が移動してしまわないように数ヵ所設ける。
（ホ）図５で示すように、押え部収納用中袋（１３）は、中身の素材を中央付近を低く押える為、スナップや縫い止め等で、中央付近を低く押えこれによって、頭部がしっかりおさまり安定する。
本発明は、以上の構成よりなっている。
本発明を使用するときは、内袋（７）に素材を入れて、内袋開閉部（８）を閉じ、各袋部Ａ，Ｂ、Ｃの開閉部を開き挿入し閉じる。
折畳部（２）を折りたたみ、係止め部（６）で固定し一体する。又折畳部がファスナーの場合は閉じて一体化する。
収納用中袋（９）には、芳香剤、消臭剤、アイスノン、保冷剤などさまざまな素材を各ポケットに入れ、保持部（１２）で固定し、図６で示すように枕（１）の間に挟み込んだり、袋部に挿入する。又アイスノンや保冷剤などは、夏は涼しく、熱を出したときなど折畳時の上部に使用面の袋部に入れ使用する。
又、高さ調整は各折畳部を折り畳まず開いた状態、あるいは一方の袋部のみを折畳んだ状態で、使用する事により低く調整でき、又収納用中袋を入れることにより簡単により高い調整が可能になる。押え部収納用中袋（１３）は押え部が仕切の役目をはたすため、枕の中心部が低く設定されているので頭部に安定感をもたらす。
内袋を入れ替えることにより、一つの素材では味わうことが出来ない素材の持ち味をいかした、今までにない硬さと、軟らかさの素材の融合により寝心地のよい各自にあった安眠枕が簡単にできる。
又図８で示すように、折畳部（２）を引っ掛けるだけで、物干し竿やベランダの手すりに容易に干す事ができる。中身を取り出して洗濯出来るので、より衛生的である。
【図面の簡単な説明】
【０００７】
【図１】  本発明の分解斜視図
【図２】  本発明展開図
【図３】  本発明の平面図
【図４】  本発明収納用中袋の平面透視図
【図５】  本発明収納用中袋の他の実施例を示す図
【図６】  本発明の使用図
【図７】  本発明の使用図
【図８】  本発明の使用図
【符号の説明】
【０００８】  １  枕
２  折畳部Ａ，Ｂ
３  袋部Ａ、Ｂ、Ｃ
４  横開閉部Ａ，Ｂ
５  縦開閉部
６  係止部Ａ，Ｂ，Ｃ
７  内袋
８  内袋開閉部
９  収納用中袋
１０  ポケットＡ
１１  ポケットＢ
１２  保持部Ａ、Ｂ、Ｃ
１３  押え部収納用中袋
１４  押え部
１５  物干竿
【図１】
2006239332.tif 000003
【図２】
2006239332.tif 000004
【図３】
2006239332.tif 000005
【図４】
2006239332.tif 000006
【図５】
2006239332.tif 000007
【図６】
2006239332.tif 000008
【図７】
2006239332.tif 000009
【図８】
2006239332.tif 000010